(57)【要約】【課題】  荷電粒子線装置において、試料表面から発生した二次信号粒子と、試料内で散乱して透過した暗視野透過信号粒子と、試料内を散乱しないで透過した明視野透過信号粒子を分離して検出し、目的に応じた最適なコントラストの像を観察する。【解決手段】  上記目的を達成するために、一次荷電粒子線が薄膜試料を透過して得られる透過信号粒子のなかで、試料内で散乱した信号粒子（暗視野透過信号粒子）のみを検出するために、試料下部に試料内で散乱しない透過信号粒子（明視野透過信号粒子）が通過できる開口を有する透過信号変換部材と、当該部材に衝突する信号を検出する検出手段を設けた。【選択図】図１
2008282827.tif 000002
【特許請求の範囲】
【請求項１】
荷電粒子源と、当該荷電粒子源から放出される一次荷電粒子線を集束して試料上で走査する荷電粒子光学系を備えた荷電粒子線装置において、
前記試料を透過した荷電粒子の衝突によって二次荷電粒子を放出する透過信号変換部材を備え、当該透過信号変換部材に、試料内で散乱しない透過荷電粒子が通過できる大きさの開口を備えたことを特徴とする荷電粒子線装置。
【請求項２】
請求項１において、
前記透過信号変換部材で変換された二次荷電粒子を検出する検出器を備えたことを特徴とする荷電粒子線装置。
【請求項３】
請求項１において、
前記透過信号変換部材の開口を通過した透過信号粒子を検出する位置に透過信号粒子検出手段を配置したことを特徴とする荷電粒子線装置。
【請求項４】
請求項３において、
前記透過信号粒子検出器と前記透過信号変換部材との間に、前記透過信号粒子検出手段に到達する透過信号粒子の一部を遮断する絞りを配置したことを特徴とする荷電粒子線装置。
【請求項５】
荷電粒子源と、当該荷電粒子源から放出される一次荷電粒子線を収束して試料上で走査する荷電粒子光学系を備えた荷電粒子線装置において、
前記試料を透過した荷電粒子の衝突によって発光するシンチレータと、該シンチレータから発生した光を検出する位置に光を電気信号に変換する手段を設けるとともに、前記シンチレータに、試料内で散乱しない透過荷電粒子が通過できる大きさの開口を備えたことを特徴とする荷電粒子線装置。
【請求項６】
請求項５において、
前記シンチレータの開口を通過した透過信号粒子を検出する透過信号粒子検出手段を配置したことを特徴とする荷電粒子線装置。
【請求項７】
請求項６において、
前記透過信号粒子検出手段と前記シンチレータとの間に、前記透過信号粒子検出手段に到達する透過信号粒子の一部を遮断する絞りを配置したことを特徴とする荷電粒子線装置
。
【請求項８】
請求項１において、
前記一次荷電粒子を収束する対物レンズを備え、当該対物レンズは、集束磁場を前記試料に向かって漏洩するように構成されていることを特徴とする荷電粒子線装置。
【請求項９】
荷電粒子源と、当該荷電粒子源から放出される一次荷電粒子線を集束して試料上で走査する荷電粒子光学系を備えた荷電粒子線装置において、
前記試料を透過した荷電粒子の衝突によって二次荷電粒子を放出する透過信号変換部材と、当該透過信号変換部材から放出された二次荷電粒子を吸引して検出する検出器を備え
、前記一次荷電粒子を集束するための対物レンズは、前記試料側に向かって集束磁場を漏洩するように構成されていることを特徴とする荷電粒子線装置。
【請求項１０】
荷電粒子源と、当該荷電粒子源から放出される一次荷電粒子線を集束して試料上で走査する荷電粒子光学系を備えた荷電粒子線装置において、
前記試料を透過した荷電粒子の衝突によって二次荷電粒子を放出する透過信号変換部材を備え、当該透過信号変換部材に、透過荷電粒子が通過できる大きさの開口を備えるとともに、当該開口部に０或いは正の電圧を印加する電源を備えたことを特徴とする荷電粒子線装置。
【請求項１１】
荷電粒子源と、当該荷電粒子源から放出される一次荷電粒子線を集束して試料上で走査する荷電粒子光学系を備えた荷電粒子線装置において、
前記試料を透過した暗視野信号粒子を検出する暗視野信号検出器を備え、当該暗視野信号検出器は、前記暗視野信号粒子の衝突によって二次荷電粒子を放出する透過信号変換部材を備えたことを特徴とする荷電粒子線装置。
【請求項１２】
請求項１７において、
前記透過信号変換部材を通過した明視野信号粒子を検出する明視野信号検出器を備えたことを特徴とする荷電粒子線装置。
【発明の詳細な説明】
【技術分野】
【０００１】
本発明は荷電粒子線装置に係り、特に、試料から荷電粒子源側に発生した信号粒子と、試料内で散乱して透過した信号粒子と、試料内で散乱せずに透過した信号粒子を区別し検出して、高コントラストな試料像を得るのに好適な荷電粒子線装置に関する。
【背景技術】
【０００２】
走査電子顕微鏡に代表される荷電粒子線装置では、細く収束された荷電粒子線を試料上で走査して試料から所望の情報（例えば試料像）を得る。このような荷電粒子線装置の多くは、半導体デバイスの評価や不良解析に用いられている。半導体デバイスは年々微細化と多層構造化が進み、多層構造化したデバイスの不良を解析するために、デバイスを薄膜化して評価する手法が重要になっている。薄膜試料の観察には、通常、試料を透過した透過信号を用いるが、試料内で散乱して透過した透過信号（暗視野信号）は、試料の原子番号コントラストが強く反映されるため、デバイスの不良解析に有効であることが知られている。
【０００３】
図５、および図６を用いて従来の透過信号粒子検出法を説明する。大形試料が観察できる試料ステージを搭載した荷電粒子線装置では、図５に示すように、試料ステージ１６は、対物レンズ２０の下方に配置され、試料１４はこの試料ステージに搭載する。薄膜試料１４を透過した信号粒子（１８ａ，１８ｂ）は、試料ステージ１６に設けられた透過信号粒子の通過孔１６１を通過して、試料ステージの下方に設けられた透過信号検出器１７で検出されるが、このとき、透過信号粒子の内、ステージの通過孔１６１を通過した信号粒子１８ａのみが透過信号検出器１７に検出される。また、試料ステージ１６と透過信号検出器１７との間に絞り１９を設け、透過信号検出器１７で検出される透過信号粒子１８ａの散乱角を制限している。一方、対物レンズ２０で発生する収束磁場は、対物レンズ下面よりも上部（電子源側）に形成されるため、試料１４の表面から発生した二次信号粒子１１は、対物レンズ下部に設けられた二次信号検出器１３で発生する電界１３０に吸引され、二次信号検出器１３に検出される。
【０００４】
また、非特許文献１には、図６に示すように、薄膜試料１４の直下を金属部で塞ぐ試料台１５０を用い、透過信号粒子（１８ａ，１８ｂ）が試料下部の金属部に衝突することによって発生した二次信号粒子１２を対物レンズ下部に配置した二次信号検出器１３で検出し、試料１４の透過像を得る方法が開示されている。この場合においても、対物レンズ磁界は対物レンズ下面よりも上部（電子源側）に発生するため、試料１４の表面から発生した二次信号粒子１１は、対物レンズ下部の二次信号検出器１３の電界１３０に吸引されて検出される。
【０００５】
【非特許文献１】「二次電子検出器を用いたＳＴＥＭ像の検察」（医生物走査電顕  vol.１１，１５−１６  （１９８２））
【発明の開示】
【発明が解決しようとする課題】
【０００６】
上記した従来技術では、いずれも次のような問題がある。
【０００７】
図５に示す従来技術では、試料を透過した信号粒子を検出するための透過信号検出器１７が試料ステージ１６よりも下方に配置されるため、試料１４と透過信号検出器１７の距離が長くなり、試料内で散乱した透過信号粒子(１８ｂ：暗視野信号)を検出するために非常に大きな検出面を有する透過信号検出器が必要となる。また、透過信号粒子（１８ａ，１８ｂ）は、試料ステージの通過孔１６１を通過後に検出されるため、試料で散乱した透過信号粒子（１８ｂ）を検出するには、試料ステージに設けた透過信号粒子の通過孔１６１を十分に大きくする必要がある。しかし、この結果、ステージを支えるベース１６０の強度が低下してステージ耐振性能が低下する問題が生じるため、ステージ耐振性が維持される実用的な通過孔１６１では、散乱して透過した信号粒子１８ｂは、図５に示されるように、通過孔１６１の内壁に衝突して検出することができない。
【０００８】
図６に示す従来技術は、本来、図５に示される透過信号検出器１７を用いないで、より簡便に透過信号検出器１７と同等の透過信号像（ＳＴＥＭ像）を得ることを目的として考案されたものである。通常の走査電子顕微鏡には、試料から発生した二次信号を検出するための二次信号検出器１３が対物レンズ下部に備えている。したがって、この二次信号検出器１３で透過信号が検出できれば、高価な透過信号検出器１７を設けなくとも、安価な構成でＳＴＥＭ像の観察が可能になる。このために、図６の従来技術では、試料下部を金属部で塞いで試料を透過した信号粒子を衝突させ、この衝突によって発生する二次信号粒子を対物レンズ下部の二次信号検出器１３で検出している。しかし、この場合、対物レンズの磁界が対物レンズ下面よりも上方（電子源側）に発生するため、試料上では対物レンズ磁界の漏洩が極めて小さい。したがって、試料表面から発生したエネルギーの低い二次信号粒子は、二次信号検出器１３の吸引電界に引き寄せられて、二次信号検出器１３に検出されてしまう。したがって、二次信号検出器１３に検出される信号は、透過信号と二次信号の加算されたものになってしまう。この結果、本来、透過信号のみに含まれる微小なコントラストが、透過信号と同時に検出される二次信号のコントラストに乱されるため、高コントラストなＳＴＥＭ像を得ることが困難となる。
【０００９】
一方、高コントラストで高分解能なＳＴＥＭ像を得るには、試料を散乱して透過した信号粒子（暗視野信号粒子）と試料を散乱しないで透過した信号粒子（明視野信号粒子）とを区別して検出することが望ましい。なぜなら、明視野信号粒子と暗視野信号粒子とは、コントラストが互いに反転した情報を有するため、これらの信号が加算されると、コントラストの相殺が起こるからである。図３に、試料表面から発生した二次信号像（ａ）と、試料内を散乱せずに透過した信号像（明視野信号像）（ｂ）と、試料内を散乱して透過した信号像（暗視野信号像）（ｃ）とを比較して示す。図３より、明視野信号像（ｂ）と暗視野信号像（ｃ）とは、コントラストが反転していることがわかる。図６に示す従来技術においては、明視野信号粒子（１８ａ）と暗視野信号粒子（１８ｂ）とが、全て試料下部の金属部に衝突して二次信号粒子１２を発生させるため、二次信号検出器１３に検出される信号情報は、両者が加算されたものになる。よって、上記説明の如く、コントラストが相殺されるため、高コントラストなＳＴＥＭ像が得られない問題があった。
【００１０】
本発明の目的は、試料を散乱して透過した暗視野透過信号粒子と、その他の粒子を分離して検出するのに好適な荷電粒子線装置の提供にある。
【課題を解決するための手段】
【００１１】
上記目的を達成するために、本発明によれば、第１に、荷電粒子線装置において、試料を透過した荷電粒子の衝突によって、二次荷電粒子を放出する透過信号変換部材を備え、当該透過信号変換部材に、試料内で散乱しない透過荷電粒子が通過できる大きさの開口を備えた。また、第２に、試料を透過した荷電粒子の衝突によって発光するシンチレータと、該シンチレータから発生した光を検出する位置に光を電気信号に変換する手段を設けるとともに、シンチレータに、試料内で散乱しない透過荷電粒子が通過できる大きさの開口を備えた。
【００１２】
以上のような構成によれば、暗視野透過信号粒子と明視野透過信号粒子を分離し、少なくとも暗視野透過像を効率良く検出することが可能になる。
【００１３】
また、第３に、本発明では、試料を透過した荷電粒子の衝突によって二次荷電粒子を放出する透過信号変換部材と、当該透過信号変換部材から放出された二次荷電粒子を吸引して検出する検出器を備え、一次荷電粒子を集束するための対物レンズを、試料側に向かって集束磁場を漏洩するように構成した。
【００１４】
このような構成によれば、試料表面から放出される二次荷電粒子が、対物レンズの集束作用により集束され、試料を透過した暗視野透過信号粒子に基づく信号への混入を防止することができる。
【００１５】
本発明のより具体的な態様、或いは他の構成については、以下の発明の実施の形態の欄でより詳細に説明する。
【発明の効果】
【００１６】
本発明によれば、試料表面から発生した二次信号粒子と、試料内で散乱して透過した暗視野透過信号粒子と、試料内を散乱しないで透過した明視野透過信号粒子とをそれぞれ分離して検出できるため、アプリケーションに応じた最適なコントラストの試料像を観察することができる効果がある。
【発明を実施するための最良の形態】
【００１７】
以下図面を用いて、本発明の実施の形態について説明する。
【実施例１】
【００１８】
以下に本発明の具体的な構成、及び具体的効果を、図面を交えて説明する。
【００１９】
本発明実施例では、まず、暗視野透過信号粒子を検出するため、図２に示すように、薄膜試料１４の下部に中央に孔の開いた透過信号変換部材１５（荷電粒子の衝突で二次信号粒子を発生させる部材で、一般に金属を用いる）を設けた。薄膜試料１４を散乱せずに透過した明視野信号粒子１８ａはこの孔を通過するため、透過信号変換部材には衝突しない。一方、試料を散乱して透過した暗視野信号粒子１８ｂは、透過信号変換部材に衝突して二次信号粒子１２を発生する。この二次信号粒子１２は、対物レンズ下方に配置した二次信号検出器１３の電界に吸引されて、二次信号検出器１３に検出される。よって、二次信号検出器１３の信号は、図３（ｃ）に示すような暗視野信号像となる。
【００２０】
試料表面から発生した二次信号粒子が対物レンズ下方の二次信号検出器１３に検出されるのを回避するために、本発明では、図２に示すように、磁極が試料側を見込む形状の対物レンズ２０を設けた。この対物レンズでは、励磁コイル２０２の励磁によって、磁極から発生する磁力線２０１が試料側に存在するため、光軸上の磁界分布２００が試料表面上で比較的大きな値となる。
【００２１】
そのため、試料表面から発生した二次信号粒子１１は、対物レンズ磁界で強く収束されて対物レンズの上方（電子源側）に進行するため、対物レンズ下方に配置した二次信号検出器１３にほとんど検出されない。対物レンズ２０の上方に進行した二次信号粒子１１は、対物レンズ上方に配置された直交電磁界装置２２によって、二次信号検出器９の方向に偏向されて、二次信号検出器９で検出される。
【００２２】
このような対物レンズは、内側の磁極と外側の磁極で形成するギャップ（このギャップから磁界が漏洩して、レンズ磁界を形成する）が試料側を見込んで設けられており、内側の磁極下部より試料台２１側に、対物レンズ磁界の最大集束磁場が位置するように形成されている。
【００２３】
一方、図２に示すような対物レンズでは、対物レンズ下面から離れるにつれてレンズ磁界が急速に弱まり、透過電子変換部材の位置ではレンズ磁界が非常に弱くなっている。したがって、透過電子変換部材から発生した二次信号粒子は、対物レンズ磁界の影響をほとんど受けずに、対物レンズ下方の二次信号検出器１３の吸引電界に吸い寄せられて、二次信号検出器１３で検出することができる。よって、図２に示す特徴的構成によれば、試料表面から発生した二次信号粒子と暗視野信号粒子を、それぞれ、明視野信号粒子と分離して検出することができる。
【００２４】
更に図２に示すような対物レンズは、対物レンズ直下では強い集束磁場を形成し、対物レンズを離れると急速に集束磁場が弱くなるため、強い集束磁場内に配置される試料直下に、透過信号変換部材１５を配置しても、透過信号変換部材１５で発生する二次荷電粒子を高効率に二次信号検出器１３に導くことができる。
【００２５】
本実施例の構成においては、試料表面上のレンズ磁界強度が弱すぎると、試料表面から発生した二次信号粒子がレンズ磁界に十分収束されなくなり、その一部が、透過信号変換部材１５から発生する二次信号粒子と混じって検出されてしまう。一方、透過信号変換部材１５における磁界強度が強すぎると、透過信号変換部材１５から発生した二次信号粒子が、対物レンズ磁界に収束されて、これを検出するための二次信号検出器１３に効率良く検出されなくなる。このような状況を実験的に検討した結果、光軸上のレンズ磁界ピーク値に対して２０％以上の磁界強度の位置に試料表面を配置し、同ピーク値に対して２０％以下の位置に透過信号変換部材１５を配置すれば、試料表面から発生する二次信号粒子と透過信号変換部材１５から発生する二次信号粒子とを効果的に分離し、かつ、透過信号変換部材１５から発生する二次信号粒子を効率良く検出できることを見出した。
【００２６】
以上のような対物レンズの構造と、透過信号変換部材１５の配置によれば、磁極から発生する磁界がワーキングディスタンスの増大につれて急速に減衰するため、透過信号変換部材を比較的短いワーキングディスタンスに配置することができ、試料を走査する一次荷電粒子線のプローブサイズを小さくするとともに、高効率な暗視野信号の検出が可能になるため、暗視野像の分解能を向上させることができる。
【００２７】
仮に、試料と透過信号変換部材をインレンズ形の対物レンズに配置したとすれば、高分解能なプローブは得られるものの、試料下方にも強い磁界が存在するので、透過信号変換部材からの信号を効率良く検出することができず、本実施例の効果は得られない。
【００２８】
暗視野信号粒子のみを検出するための他の手段として、図２の透過信号変換部材１５を
、荷電粒子の衝突で発光するシンチレータで構成することもできる。この場合には、対物レンズ下方の二次信号検出器１３の代わりに、光を直接検出して電気信号に変換するホトマルチプライアを設ける。この方法は、暗視野透過信号粒子を二次信号粒子に変換する代わりに、光信号に変換することに対応する。
【００２９】
暗視野透過信号粒子と分離された明視野透過信号粒子を検出するために、試料ステージのベース１６０の下方に絞り１９と透過信号検出器１７とを設けた。試料ステージのベース１６０の通過孔１６１を通過した明視野透過信号粒子１８ａは、絞り１９によって、さらに最適な明視野信号粒子１８ｃのみに選別されて、透過信号検出器１７に検出される。したがって、本発明の特徴的構成によれば、試料表面から発生する二次信号粒子１１，暗視野信号粒子１８ｂ、および、最適コントラスト条件に選別された明視野信号粒子１８ｃを、それぞれ分離して同時に検出することが可能になる。図３に示す各画像は、このようにして検出した信号の画像である。
【００３０】
図１は、本発明の一例である走査電子顕微鏡の概略構成図である。陰極１と第一陽極２に印加される電圧（図に記載していない）により陰極１から放出された一次荷電粒子線３は第二陽極４に印加される電圧Ｖａｃｃ(図に記載していない)に加速されて後段のレンズ系に進行する。この一次荷電粒子線３は、第一集束レンズ５でいったん収束され、対物レンズ絞り６でビームの照射角を制限されて、２段の偏向コイル７および８で試料１４上を二次元的に走査される。
【００３１】
試料表面の一次荷電粒子線照射点から発生した二次信号粒子１１は対物レンズ２０の発生する磁界に巻き上げられて、対物レンズ上方（電子源側）に進行する。この二次信号粒子１１は、直交電磁界発生装置２２で一次荷電粒子線３と軌道分離されて、二次信号粒子検出器９に検出される。
【００３２】
一方、試料台２１に固定された薄膜試料１４を透過した透過信号粒子の内、試料内で散乱した暗視野透過信号粒子（図２：１８ｂ）は、試料１４下方に設けた透過信号変換部材１５に照射される。透過信号変換部材は、荷電粒子の衝突によって二次信号粒子を発生する材料（一般には金属）で構成しているため、透過信号の衝突により、衝突した信号量に比例した二次信号粒子を発生する。透過信号変換部材１５から発生した二次信号粒子１２は、対物レンズ２０の下方に配置された二次信号検出器１３で検出される。透過信号変換部材１５には、試料内を散乱しないで透過した信号粒子（図２：１８ａ、明視野信号粒子）が通過できる開口を設けている。
【００３３】
したがって、透過信号変換部材１５から発生する二次信号粒子１２は、暗視野信号粒子の情報のみを有している。また、透過信号変換部材１５の開口を通過した明視野透過信号粒子１８ａは、試料ステージ１６の開口を通過して、試料ステージ１６下方に設けられた透過信号検出器１７で検出される。試料ステージ１６と透過信号検出器との間には絞り１９が配置されており、試料ステージ１６を通過した透過信号粒子の内、最適なコントラストが得られる明視野透過信号粒子のみが選択されて、透過信号検出器１７に検出される。絞り１９は孔径の異なる複数の開口を有し、これらの開口を真空外から切り替えることが可能である。
【００３４】
また、以上のような本実施例の構成では、試料を対物レンズの強磁界中に配置するため、同様に試料を対物レンズ磁界中に配置するインレンズ式の対物レンズを採用した荷電粒子線と同等の高い分解能が得られ、かつインレンズ式の対物レンズでは実現が困難な大形試料用のステージを採用することができる。
【００３５】
透過信号変換部材は、同様の形状を有するシンチレータ（荷電粒子の衝突で発光する材料）で構成することもできる。このとき、暗視野信号粒子の情報は、このシンチレータで光に変換される。この場合には、透過信号変換部材から発光した光を見込む位置に、光を電気信号に変換する手段（例えば、ホトマルチプライア）を設ける。
【００３６】
図４に、本発明の目的に適した試料台に関する実施例を示す。試料表面から発生したエネルギーの低い二次信号粒子１１は、ほとんどが対物レンズ磁界に収束されて対物レンズ上方に進行するが、エネルギーが高く、かつ、試料表面から浅い角度で発生した反射信号粒子１１１は、対物レンズの上方に進行しない。このような信号粒子の一部は対物レンズ下方の二次信号検出器１３に検出されて、暗視野透過信号情報の質を低下させる。これを避けるために、本実施例では、図４に示すように、試料台の薄膜試料搭載部に円筒状の壁２１１を設け、試料表面から浅い角度で発生した高エネルギーの反射信号粒子１１１を円筒状の壁２１１で遮断した。
【００３７】
以上のような本発明実施例の構成によれば、試料表面から発生する信号粒子と試料を散乱せずに透過した明視野透過信号粒子と試料を散乱して透過した暗視野透過信号粒子とを分離して検出することにより、目的に応じた高コントラストな画像を得ることが可能になる。
【実施例２】
【００３８】
高コントラストな暗視野像を得るには、試料に応じた検出散乱角の制御が重要となるが、大形試料の観察が可能な走査形電子顕微鏡では、透過形電子顕微鏡のように試料よりも下方に収束レンズを配置することができない。そのため、暗視野信号の散乱角の制御（最適化）ができない問題があった。
【００３９】
本実施例では、試料を散乱して透過した暗視野透過信号粒子と、その他の粒子を分離して検出するとともに、暗視野信号の検出散乱角を試料に応じて制御するのに好適な荷電粒子線装置について説明する。
【００４０】
また、観察材料が固定的であり検出散乱角が一定条件で使用する場合には、暗視野信号をきわめて高い効率で検出するに好適な荷電粒子線装置について説明する。
【００４１】
本実施例によれば、第１に、荷電粒子線装置において、試料を透過した荷電粒子の衝突によって二次荷電粒子を放出する透過信号変換部材を備え、透過信号変換部材に、透過荷電粒子が通過できる大きさの開口を備えるとともに、当該開口部に０或いは正の電圧を印加する電源を備えた。
【００４２】
第２に、試料を透過した荷電粒子の衝突によって二次荷電粒子を放出する透過信号変換部材を備え、当該透過信号変換部材は、透過荷電粒子線が通過するための開口を有する２枚の電極を備え、当該２枚の電極間の二次荷電粒子を検出する検出器を備えた。
【００４３】
以上のような構成によれば、暗視野透過信号粒子と明視野透過信号粒子を分離し、暗視野信号の検出散乱角の制御、および暗視野信号の高効率検出が可能になる。以下に本実施例について、図面を用いて説明する。
【００４４】
図７に、暗視野信号の検出散乱角を制御する実施例を示す。本実施例では、開口部に絶縁物１５２で電気的に絶縁した電極１５１が配置されており、電源から正の電圧Ｖｃが印加される。この電源は、０から所定の正電圧の範囲の電圧が印加可能な電源である。
【００４５】
透過信号変換部材１５に暗視野透過信号粒子１８ｂが衝突すると二次信号粒子１２ａが発生するが、電極１５１の付近で発生した二次信号粒子１２ｂは電極１５１に印加された正電圧に吸い寄せられるために、二次信号検出器１３に検出されない。電極１５１の電圧を高くすると、電極１５１を中心としてより広い領域の二次信号粒子が電極１５１に吸い寄せられることになる。すなわち、電極１５１の正電圧を制御することにより、二次信号検出器１３に検出される暗視野信号の検出散乱角の下限が制御されることになる。したがって、電極１５１の電圧を徐々に上昇していくと、暗視野像のコントラストとしては、例えば、図８の（ａ），（ｂ），（ｃ）のように変化していく。そのため、オペレータは暗視野像を見ながら、電極１５１の電圧を調整して最適なコントラストを得ることができる。
【００４６】
暗視野信号の検出においては、試料の材質（観察対象）に応じて、検出散乱角（特に内角）の最適化が極めて重要であることが知られている。この理由を図８、および図９を用いて説明する。図９は、異なる材質（原子番号，試料の厚さなど）に対する透過電子の信号強度と散乱角の関係を模式的に示した図である。図において、グラフＡとグラフＢは、それぞれ軽い元素（あるいは薄い試料）と重い元素（あるいは厚い試料）の場合を表している。試料の厚さがほぼ均一であれば、グラフＡとグラフＢとはそれぞれ原子番号の違いに依存するものとなる。図９において、θ１以上の散乱角の暗視野信号を検出した場合には、グラフＡの信号総和（ハッチングした領域）がＢよりも大きくなり、暗視野像としてはＢよりもＡの領域が明るいコントラストとなる。一方、検出散乱角の下限をθ２とすると、より重い元素Ｂの信号総和がＡの信号総和よりも大きくなるため、暗視野像としてはＢのほうがＡの領域よりも明るいコントラストとなる。このように、試料の材質できまる検出散乱角と透過信号強度の関係に対して、適切な検出散乱角を選択することにより、目的に適したコントラストの暗視野像を得ることが可能になる。
【００４７】
図８は、軽い元素（炭素）と重い元素（白金微粒子）で構成される触媒試料に対して検出散乱角の下限を変化させたときの暗視野像の変化を示したものである。図８において、検出散乱角が小さい条件（ａ）では、軽い元素（炭素）のコントラストが強すぎて重い元素（白金）がよく見えない画像になっているが、検出散乱角が大きい条件（ｃ）では、炭素の信号量が押えられて白金微粒子のコントラストがより鮮明になっている。
【００４８】
本発明実施例によれば、電極１５１の電圧を調整することで、容易に検出散乱角が最適化された、暗視野像検出が可能になる。なお、電極１５１の電圧を調整する代わりに、異なる電圧を印加するための開口径の異なる複数の電極を、透過信号変換部材１５の電子線通過開口内に配置し、検出散乱角度に応じて、各電極への電圧を印加するようにしても良い。
【００４９】
図１０に暗視野信号を増幅する実施例を示す。試料台２１は、そのまま透過信号変換部材として機能し、多重散乱が発生しやすいように、電子線通過開口を有する２枚の電極が電子線光軸方向に積層されるような、二重構造になっている。
【００５０】
また、二次信号検出器１３と対向する位置に絶縁物２１１を介して電極２１２が配置され、負の電圧が印加できるようになっている。薄膜試料１４を透過後、透過信号変換部材１５の開口を通過せずに衝突した散乱角の大きな暗視野透過信号粒子１８ｂは、上下２重構造になっている透過信号変換部材１５内で複数回反射（多重散乱）し、衝突の度に二次信号粒子を発生させて信号電子を増幅する。この二次信号粒子は、電極２１２に印加された負の電圧によって二次信号検出器１３の方向に偏向されるため、効率よく二次信号検出器１３で検出される。
【００５１】
また、二次信号検出器１３側に荷電粒子が通過できるメッシュ状の電極２１３を配置して正の電圧を印加している。本実施例の場合、メッシュ状の電極２１３と、負電圧を印加する電極２１１の両方を利用して、二次電子を検出器側に導いているが、これに限られることはなく、いずれか一方であっても良い。一次電子線の軸ずれを許容できるのであれば、二次信号検出器１３が発生する電界のみで、二次電子を検出器側に吸引するようにしても良い。
【００５２】
図１１に、透過信号変換部材１５の形状の一例を示す。透過信号変換部材１５は、一次荷電粒子線３に対して傾斜して配置されており、一次荷電粒子線３から透過信号変換部材の開口を見たときにちょうど円形になるように、透過信号変換部材単体で見た開口部の形状は楕円形になっている。また、開口部に配置される電極１５１も同様に楕円形になっている。
【００５３】
図１２は、透過信号変換部材の形状に関する他の実施例を示している。図１２では、変換部材中心部に同心円状に複数の導体パターンを形成して、各々の導体パターンのそれぞれに正の電圧を印加できるようにしている。本実施例では、図示していないが、画像のコントラストを確認しならが、内側のリングパターンから外側のパターンの順に、あるいはその逆に正の電圧を印加できるようになっている。正電圧が印加された領域からは二次信号粒子は脱出できないため、正電圧が印加されるリングパターンが外側に広がるほど、制限される散乱角の内角が大きくなり、より重い元素の観察に適した状態になる。
【００５４】
図１３は、透過信号変換部材１５を一次荷電粒子線３に対して水平に配置した実施例である。この実施例の場合、透過信号変換部材の開口や開口部に配置する電極の形状を円形にすることができ、透過信号の検出散乱角制御精度が向上される。
【００５５】
本実施例によれば、試料表面から発生した二次信号粒子と、試料内で散乱して透過した暗視野透過信号粒子と、試料内を散乱しないで透過した明視野透過信号粒子とをそれぞれ分離して検出できるとともに、暗視野透過信号粒子に対しては、その検出散乱角を制御できるため、アプリケーションに応じた最適なコントラストの試料像を観察することができる効果がある。
【実施例３】
【００５６】
本実施例では、更に暗視野信号情報を高コントラストで観察するための構成について説明する。走査透過電子顕微鏡(Scanning Transmission Electron Microscope：ＳＴＥＭ）は、薄膜試料を大きな散乱角度で透過した電子に基づいて暗視野像を形成する。暗視野像を検出するために配置される検出器は、散乱角度の大きな透過電子を選択的に検出するために、ほぼ電子線光軸に沿って試料を透過する電子が通過できるような開口を備えており、このような透過電子を検出しないような構成となっている。
【００５７】
しかしながら、実際の測定では、暗視野信号を検出するための検出器に、明視野信号の明暗が逆になった信号（小さな角度で散乱した暗視野信号）が混入する場合がある。その例を、図１４を用いて説明する。
【００５８】
図１４は、ＳＴＥＭを用いた、カーボンナノチューブの観察例を示す図である。この内部試料には、試料生成時に添加したナノチューブを成長させるための金属触媒（この試料では鉄）を内包している。この試料における評価ポイントは、成長したカーボンナノチューブ自身の形状観察、およびナノチューブと触媒との分散状態の把握にある。
【００５９】
図１４（ａ）は、試料表面から放出された二次電子に基づく二次電子像である。この二次電子像によれば、カーボンナノチューブの表面形状の観察が可能である。
【００６０】
図１４（ｂ）は、明視野信号像である。この図では、多層に成長したカーボンナノチューブの形状（外径・内径）は明瞭に観察できるが、金属触媒の分散状況は、多層に連なったカーボンナノチューブの回折コントラスト（矢印Ａ、カーボンナノチューブの長手方向に対し、垂直方向の線状コントラスト）に埋もれてしまい、明瞭に区別できない。
【００６１】
図１４（ｃ）は暗視野信号像である。この図では、比較的大きい粒子（矢印Ａ）なら明瞭に確認できるが、矢印Ｃのエリアでは図１４（ｂ）の明視野信号像の反転した情報が像上に現れていることがわかる。
【００６２】
この明視野信号像の反転した情報は、電子線通路近傍に設けられた光学素子に、透過電子等が衝突した際に発生する電子などが、真空室内で衝突を繰り返して、暗視野像検出器に到達するために発生するものと考えられる。ある一例をとって説明すると、図２に示す構成において、透過信号変換部材１５を通過した明視野信号像を、観察するために設けた絞り１９に、明視野透過信号粒子１８ａが衝突した際に、絞り１９から発生する二次信号粒子が、試料室内壁やステージ１６０への衝突を繰り返して、二次信号検出器１３に到達する可能性がある。到達した電子は明視野透過信号粒子の情報を持っている。
【００６３】
このため、観察する試料によっては、暗視野信号情報に明視野信号の反転した情報が重畳される場合がある。この現象は試料が軽元素であるほど、もともとの暗視野信号情報が少なくなるため目立ち、また、明視野信号像で回折コントラストが出やすい試料ほど重畳される明視野信号情報が増えるため目立つ傾向がある。
【００６４】
本実施例では、更に暗視野像のコントラストを高めるために、試料と、明視野信号粒子を検出するための検出器との間に配置される絞りに、正の電圧を印加する電源を設けた構成について説明する。またこのような絞りを二層構造にした例について説明する。
【００６５】
以上のような構成によれば、暗視野透過信号粒子と明視野信号粒子を分離し、暗視野信号像観察の際に、明視野信号（反転信号）の混入を防ぐことが可能になる。また、明視野信号と暗視野信号を同時にしかも高コントラストに観察することが可能になる。
【００６６】
更に、絞りを二層構造にすると、当該絞りに透過荷電粒子が衝突した際、絞りから発生した二次粒子は、絞りに吸収されるため、レンズ下方に二次信号検出器が配置されている場合においても、二次粒子が二次信号検出器に到達することを抑制することができる。
【００６７】
他にも透過信号変換部材の開口部に、ファラデーカップとして作用する筒状構造を備えることで、暗視野透過信号粒子と明視野透過信号粒子を分離し、暗視野信号像観察の際、明視野信号（反転信号）の混入を防ぐことができる。
【００６８】
以下に本実施例の具体的な構成、及び効果について、図面を交えて説明する。
【００６９】
図１５は、絞り１９に正の電圧を印加した例を説明するための図である。本実施例では、絞り１９は電気的に鏡体部と絶縁されており、電源から正の電圧Ｖｃが印加される。絞り１９に明視野透過信号粒子１８ａが衝突すると二次信号粒子３００ａが発生するが、絞り１９に印加された正電圧に吸い寄せられるために、他の部材（ステージ，試料室内壁など）に衝突せず、結果として、明視野透過信号粒子１８ａ由来の信号粒子は二次信号検出器１３に検出されることはない。
【００７０】
すなわち、二次信号検出器１３は、薄膜試料１４を大きな散乱角度で透過した暗視野透過信号粒子１８ｂが透過信号変換部材１５に衝突し、透過信号変換材１５から発生した二次信号粒子１２のみ検出し、暗視野信号像を観察することが可能である。
【００７１】
図１６に、明視野透過信号粒子１８ａに由来する二次信号粒子の検出を抑止する他の実施例を示す。本実施例では、透過信号検出器１７の上方に備える絞りを、二重構造絞り３０３としている。薄膜試料を透過した透過信号粒子は、二重構造絞り３０３の下段絞り孔により、明視野透過信号粒子１８ａと絞りで最適化された明視野透過信号粒子１８ｃに分けられる。このとき、絞りで最適化された明視野透過信号粒子１８ｃは、透過信号検出器１７に到達し検出され、明視野信号像として観察される。一方、明視野透過信号粒子１８ａは、二重構造絞り３０３内部で二次信号粒子３００を発生させる。しかし、この二次信号粒子３００は、絞り内部で衝突を繰り返すうちに減衰し、二重構造絞り３０３に吸収される。結果として、二次信号粒子３００は、二次信号検出器１３に検出されることはない。
【００７２】
さらに、二重構造絞り３０３を鏡体部と絶縁させ、正の電圧Ｖｃを印加することで、二重構造絞りによる吸収および、正電圧による二次信号粒子３００の吸い寄せの効果により、高効率で明視野透過信号粒子１８ａ由来の二次信号粒子の検出を抑止することができる。
【００７３】
以上のような本発明実施例の構成によれば、試料を透過した信号粒子のうち、暗視野透過信号粒子と明視野透過信号粒子を分離して暗視野信号のみを検出し、また明視野信号像と暗視野信号像を同時に観察することが可能になる。
【００７４】
暗視野信号像の観察は、図１７（ａ）のように暗視野信号に明視野（反転）信号が混ざった像になり（矢印Ａ）、金属触媒と回折コントラスト（明視野信号に由来する）の区別が困難であるため、触媒の分散状態の把握できない場合がある。
【００７５】
一方、本実施例の構成によれば、図１７（ｂ）のような組成差に応じた暗視野信号のみを検出した像を観察することで金属触媒の分散状態が容易に把握可能になる。
【００７６】
図１８に他の実施例を示す。本実施例では、試料台２１に備えた透過信号変換部材１５中央の開口部にファラデーカップとして作用する筒状構造３０４を配している。この場合、試料を透過した信号粒子のうち明視野透過信号粒子１８ａは、筒状構造３０４によって吸収され、その信号粒子が二次信号検出器１３に検出されることはない。
【００７７】
この時、筒状構造３０４はファラデーカップとして作用させるために、深さと開口径のアスペクト比は１０以上が望ましい。また、筒状構造３０４の開口部からの二次信号の発生を減少させるために、肉厚が薄いほうが望ましい。
【００７８】
上記実施例の構成においては、明視野透過信号粒子１８ａを筒状構造３０４で吸収させるために、明視野信号像観察が不可能である。しかしながら、図１４，図１７のような、軽元素内部に存在する重元素の分散状況の把握には、図１４（ａ）の表面情報を持つ二次電子像と、図１７（ｂ）組成情報を持つ暗視野信号像を取得すれば評価自体は可能である。また、この場合、本実施例にある透過信号変換部材１５と筒状構造３０４を備えた試料台で対応可能であり、比較的安価な評価システムを提供可能である。
【００７９】
また、図１９のように、筒状構造３０４を試料台２１に対して絶縁物１５２で絶縁し、筒状構造３０４に正の電圧Ｖｃを印加することで、高効率で明視野透過信号粒子１８ａ由来の二次信号粒子の検出を抑止できる。
【００８０】
さらに、上記構成においては、透過信号変換部材１５に暗視野透過信号粒子１８ｂが衝突すると二次信号粒子１２ａが発生するが、筒状構造３０４の付近で発生した二次信号粒子１２ｂは筒状構造３０４に印加された正電圧に吸い寄せられるために、二次信号検出器１３に検出されない。筒状構造３０４の電圧を高くすると、筒状構造３０４を中心としてより広い領域の二次信号粒子が筒状構造３０４に吸い寄せられることになる。すなわち、筒状構造３０４の正電圧を制御することにより、二次信号検出器１３に検出される暗視野信号の検出散乱角の下限が制御されることになる。
【００８１】
本実施例の説明では、問題点を明視野信号の反転した情報の混入としたが、これは、言い換えると低散乱角度の暗視野信号であると言える。
【００８２】
本実施例によれば、試料表面から発生した二次信号粒子と、試料内で散乱して透過した暗視野透過信号粒子と、試料内を散乱しないで透過した明視野透過信号粒子とをそれぞれ分離して検出できるとともに、特に、結晶性の高い（回折コントラストの見えやすい）軽元素中に重元素含む試料の重元素の分散状態などを把握が容易に実施できる効果がある。
【００８３】
本実施例の説明では、主に走査透過電子顕微鏡を例にとって説明したが、これに限られることはなく、例えば収束イオンビーム装置に適用することも可能である。本発明は試料に荷電粒子を透過させて、その透過像を観察する装置全般に適用可能である。
【図面の簡単な説明】
【００８４】
【図１】本発明の一例である走査電子顕微鏡の概略構成図。
【図２】本発明の基本部分の概略構成図。
【図３】試料表面から発生した二次信号像（ａ）と、試料内を散乱しないで透過した明視野信号像（ｂ）と、試料内を散乱して透過した暗視野信号像（ｃ）の比較。
【図４】試料表面から発生した高エネルギー二次信号（反射信号粒子）の混入を防止する試料台の実施例。
【図５】大形試料ステージを有する荷電粒子線装置において、透過信号粒子を検出する従来技術の概略構成図。
【図６】透過信号粒子を検出する従来技術の概略構成図。
【図７】暗視野信号の検出散乱角を制御する実施例を示す図。
【図８】検出散乱角の下限を変化させたときの暗視野像の変化を示した図。
【図９】異なる材質に対する透過電子の信号強度と散乱角の関係を模式的に示した図。
【図１０】暗視野信号を増幅する実施例を示す図。
【図１１】透過信号変換部材の形状の一例を示す図。
【図１２】透過信号変換部材の形状の他の例を示す図。
【図１３】透過信号変換部材を一次荷電粒子線に対して水平に配置した例を示す図。
【図１４】ＳＴＥＭを用いたカーボンナノチューブの観察例を示す図。
【図１５】絞りに正の電圧を印加した例を説明するための図。
【図１６】明視野透過信号粒子に基づく二次粒子の検出を抑止する例を示す図。
【図１７】金属触媒の分散状態をＳＴＥＭで観察した例を示す図。
【図１８】過信号変換部材の開口部に、ファラデーカップを備えた例を示す図。
【図１９】筒状構造に正の電圧を印加して二次信号粒子の検出を抑止する例を示す図。
【符号の説明】
【００８５】
１…陰極、２…第一陽極、３…一次荷電粒子線、４…第二陽極、５…第一集束レンズ、６…対物レンズ絞り、７，８…偏向コイル、９…対物レンズ上方に配置した二次信号粒子検出器、１１…試料表面から発生する二次信号粒子、１２…透過信号変換部材から発生する二次信号粒子、１３…二次信号検出器、１４…薄膜試料、１５…透過信号変換部材、１６…試料ステージ、１７…透過信号検出器、１８…透過信号粒子、１８ａ…明視野透過信号粒子、１８ｂ…暗視野透過信号粒子、１８ｃ…絞りで最適化された明視野透過信号粒子、１９…絞り、２０…対物レンズ、２１…試料台、２２…直交電磁界発生装置、１１１…反射信号粒子、１３０…対物レンズ下方の二次信号検出器の吸引電界、１５０…試料台、１６０…試料ステージのベース、１６１…通過孔、２００…対物レンズ磁界分布、２０１…対物レンズ磁極から発生する磁力線。
【図１】
2008282827.tif 000003
【図２】
2008282827.tif 000004
【図３】
2008282827.tif 000005
【図４】
2008282827.tif 000006
【図５】
2008282827.tif 000007
【図６】
2008282827.tif 000008
【図７】
2008282827.tif 000009
【図８】
2008282827.tif 000010
【図９】
2008282827.tif 000011
【図１０】
2008282827.tif 000012
【図１１】
2008282827.tif 000013
【図１２】
2008282827.tif 000014
【図１３】
2008282827.tif 000015
【図１４】
2008282827.tif 000016
【図１５】
2008282827.tif 000017
【図１６】
2008282827.tif 000018
【図１７】
2008282827.tif 000019
【図１８】
2008282827.tif 000020
【図１９】
2008282827.tif 000021